(57)【要約】【課題】本発明は、一対のフレームが回転軸を介し、拡開（展開）または折り畳み（閉塞）する干し具及び収納具で、拡開時、規制部材が接触し乾燥に適した角度が開示され、折り畳み時（閉塞）、吊り下げ部材が内部に収まり、収納時の露出部を少なくしている。【解決手段】本考案は、一対の靴下を型取った一対のフレーム１Ａ，１Ｂの両端部の回転部４Ａ，４Ｂ，５Ａ，５Ｂが、吊り下げ部材の回転軸１Ｋを介して拡開（展開）し、干し具となり、洗濯後の一対の袋状物の袋部分を、上記フレームに通して乾燥（干す）し、乾燥後、一対の袋状物の袋部分を上記フレームに通したまま、フレーム同士が重なり合うように折り畳み（閉塞）ながら吊り下げ部材が上記フレームの内部に収まり収納器具となり所定箇所に縦型収納できる。【選択図】図１
2020108720.tif 000002
【特許請求の範囲】
【請求項１】
一対の袋状物の袋部分を通し得る一対のフレーム（１Ａ，１Ｂ）と、上記一対のフレーム部に設けられた少なくとも一つの回転部と、上記少なくとも一つの回転部を回転可能にする少なくとも一つの回転軸と、上記の少なくとも一つの回転軸と連結した吊り下げ部材と、上記一対のフレームに一定角度を保持する少なくとも一つの同一部材または別部材の規制部材とを備え、上記回転軸を介し上記一対のフレームが拡開すると上記規制部材が接触し干し具となり、上記規制部材が接触しない方向で折り畳むと、上記吊り下げ部材の主要部分が一対のフレームの内部に収まるように折り畳まれ収納具となることを特徴とする干し具及び収納具。
【請求項２】
袋状物を通し得る一定角度を保持する規制部材と少なくとも一つの回転部備えたフレーム（１Ｂ）と、少なくとも一つの回転部を備え自在に回転する吊り下げ部材とを回転可能にする袋状物の袋部分を通し得る一定角度を保持する規制部材と回転軸を備えたフレーム（１ＡＦ）とを備え、上記回転軸を介し上記フレーム（１Ｂ）が拡開すると規制部材が接触し上記吊り下げ部材に吊り下げ干し具となり、上記回転軸を介し規制部材が接触しない方向で上記吊り下げ部材の主要部分がフレーム内部に収まるように折り畳むと収納具となることを特徴とする干し具及び収納具。
【請求項３】
吊り下げ部材と任意に固定できる角度（ｎθ）にロックできる部材を備えた規制角度保持部材（ＳＦ）と、一対の袋状物の袋部分を通し得る一対の規制角度開示フレーム（ＡＧ，ＢＧ）とを備え、上記規制角度保持部材（ＳＦ）を介し上記一対の規制角度開示フレーム（ＡＧ，ＢＧ）を、乾燥に適した上記任意に固定できる角度（ｎθ）に任意に拡開し、上記規制角度保持部材（ＳＦ）のロックできる部材で係止すると干し具となり、上記規制角度保持部材（ＳＦ）を介し吊り下げ部材が一対の規制角度開示フレーム（ＡＧ，ＢＧ）の内部に収まるように折り畳まれ収納具となることを特徴とする干し具及び収納具。
【請求項４】
一対の袋状物の袋部分を通し得る一対のフレーム（１Ａ，１Ｂ）と、上記一対のフレーム部に設けられた少なくとも一つの規制部材を備えた回転部と、上記少なくとも一つの規制部材を備えた回転部を回転可能にする少なくとも一つの回転軸と、上記の少なくとも一つの回転軸と連結した吊り下げ部材と、上記一対のフレームに一定角度の保持する少なくとも一つの規制部材とを備え、上記吊り下げ部材を上部に上記回転軸を介し上記一対のフレームが拡開すると上記規制部材が接触し干し具となり、上記吊り下げ部材が上記回転軸を介し規制部材が接触しない方向または、規制部材の別の部位が接触する方向でで折り畳むと、上記吊り下げ部材の主要部分がフレームの内部に収まるように折り畳まれ収納具となることを特徴とする干し具及び収納具。
【請求項５】
一対の袋状物の袋部分を通し得る一対のフレーム（１Ａ，１Ｂ）と、上記一対のフレーム部に設けられた少なくとも一つの回転部と、上記少なくとも一つの回転部を回転可能にする少なくとも一つの回転軸と、上記の少なくとも一つの回転軸と連結した規制部材を備えた吊り下げ部材と、吊り下げ部材に上記一対のフレームに一定角度を保持する少なくとも一つの吊り下げ部規制部材とを備え、上記吊り下げ部材を上部に上記回転軸を介し上記一対のフレームが拡開すると上記規制部材が接触し干し具となり、上記規制部材が接触しない方向で折り畳むと、上記吊り下げ部材の主要部分が一対のフレームの内部に収まるように折り畳まれ収納具となることを特徴とする干し具及び収納具。
【発明の詳細な説明】
【技術分野】
【０００１】  本発明は、洗濯した一対の靴下、ソックス、パンプスソックス、カバーソックス、アンクレットソックス、足袋のような一対の袋状物を通し乾燥させるために使用する干し具で、乾燥後に一対の袋状物を通したまま収納できる収納具に関する。
【背景技術】
【０００２】  靴下やソックスのような一対の袋状物は、任意にピンチ付き干し具やハンガー型の吊り下げ器具に靴下等とその他の洗濯物を吊り下げ乾燥（干す）している。【０００３】  しかし、靴下やソックスのような一対の袋状物は、乾燥（干す）するときに任意に物干し具に吊り下げて、乾燥（乾いた）した後は、物干し具から外して一対の袋状物を選別して揃え、所定形状に折り畳んで所定箇所に収納するが、これでは揃えるために時間がかかり型くずれも生じる。【０００４】  また、所定箇所に収納された靴下等から靴や服装、足首周辺の見栄えを意識し履く靴下等を選択するが、小さく畳まれているため、丈の長さ、足挿入開口部の大きさ（浅履きか深履きか）トップゴム部のデザイン等を瞬時に判断しにくく、畳まれている靴下等を広げ履く靴下等を選択したり、重ねられて収納された靴下等から履きたい丈の長さやデザインの靴下等を選択していたため時間と手間を要した。
【先行技術文献】
【特許文献】
【０００５】
【特許文献１】実用新案登録第３０８０３２２号公報
【特許文献２】実用新案登録第３２０９６１５号公報
【発明の概要】
【発明が解決しようとする課題】
【０００６】  実用新案登録第３０８０３２２号公報は、干し具を折り畳み収納する際に吊り下げ器具、フック、フレームの一部が外に露出しているため、吊り下げ器具、フック、フレームの一部が、所定箇所収納時に、他の衣類や収納器具、携帯時の荷物に接触し損傷することが考えられる。また、一対の袋状物の丈の長さが通常丈程度なければ使用できず、丈の短い一対の袋状物には適した形状ではなく、トップゴム部の伸びや型崩れが考えられる。【０００７】  実用新案登録第３２０９６１５号公報は、一対の袋状物を片方ずつ乾燥（干す）するため、一対の袋状物に対し二器具使用し、一器具で一対の袋状物を乾燥（干す）することができない。また、所定箇所に縦型収納された状態から、履く袋状物を選択する際、足挿入開口部が側面となり収納されているため、足挿入開口部の大きさ（浅履きか深履きか）やトップゴム部のデザイン等を上部から確認することができない。
【課題を解決するための手段】
【０００８】  上記課題を解決するために、本発明の請求項１は、一対の袋状物の袋部分を通し得る一対のフレーム（１Ａ，１Ｂ）と、上記一対のフレーム部に設けられた少なくとも一つの回転部と、上記少なくとも一つの回転部を回転可能にする少なくとも一つの回転軸と、上記の少なくとも一つの回転軸と連結した吊り下げ部材と、上記一対のフレームに一定角度を保持する少なくとも一つの同一部材または別部材の規制部材とを備え、上記回転軸を介し上記一対のフレームが拡開すると上記規制部材が接触し干し具となり、上記規制部材が接触しない方向で折り畳むと、上記吊り下げ部材の主要部分が一対のフレームの内部に収まるように折り畳まれ収納具となることを特徴としていて、各所の角をなくし丸みを持たせ、収納時の器具の露出を少なくし、所定箇所収納時、他の衣類や収納器具、携帯時の荷物に接触し損傷することを防止し、問題点を解決している。【０００９】  また、本発明の請求項２は、袋状物を通し得る一定角度を保持する規制部材と少なくとも一つの回転部備えたフレーム（１Ｂ）と、少なくとも一つの回転部を備え自在に回転する吊り下げ部材とを回転可能にする袋状物の袋部分を通し得る一定角度を保持する規制部材と回転軸を備えたフレーム（１ＡＦ）とを備え、上記回転軸を介し上記フレーム（１Ｂ）が拡開すると規制部材が接触し上記吊り下げ部材に吊り下げ干し具となり、上記回転軸を介し規制部材が接触しない方向で上記吊り下げ部材の主要部分がフレーム内部に収まるように折り畳むと収納具となることを特徴とする干し具及び収納具。【００１０】  また、本発明の請求項３は、吊り下げ部材と任意に固定できる角度（ｎθ）にロックできる部材を備えた規制角度保持部材（ＳＦ）と、一対の袋状物の袋部分を通し得る一対の規制角度開示フレーム（ＡＧ，ＢＧ）とを備え、上記規制角度保持部材（ＳＦ）を介し上記一対の規制角度開示フレーム（ＡＧ，ＢＧ）を、乾燥に適した上記任意に固定できる角度（ｎθ）に任意に拡開し、上記規制角度保持部材（ＳＦ）のロックできる部材で係止すると干し具となり、上記規制角度保持部材（ＳＦ）を介し吊り下げ部材が一対の規制角度開示フレーム（ＡＧ，ＢＧ）の内部に収まるように折り畳まれ収納具となることを特徴とする干し具及び収納具。【００１１】  また、本発明の請求項４は、一対の袋状物の袋部分を通し得る一対のフレーム（１Ａ，１Ｂ）と、上記一対のフレーム部に設けられた少なくとも一つの規制部材を備えた回転部と、上記少なくとも一つの規制部材を備えた回転部を回転可能にする少なくとも一つの回転軸と、上記の少なくとも一つの回転軸と連結した吊り下げ部材と、上記一対のフレームに一定角度の保持する少なくとも一つの規制部材とを備え、上記吊り下げ部材を上部に上記回転軸を介し上記一対のフレームが拡開すると上記規制部材が接触し干し具となり、上記吊り下げ部材が上記回転軸を介し規制部材が接触しない方向または、規制部材の別の部位が接触する方向でで折り畳むと、上記吊り下げ部材の主要部分がフレームの内部に収まるように折り畳まれ収納具となることを特徴とする干し具及び収納具。【００１２】  また、本発明の請求項５は、一対の袋状物の袋部分を通し得る一対のフレーム（���Ａ，１Ｂ）と、上記一対のフレーム部に設けられた少なくとも一つの回転部と、上記少なくとも一つの回転部を回転可能にする少なくとも一つの回転軸と、上記の少なくとも一つの回転軸と連結した規制部材を備えた吊り下げ部材と、吊り下げ部材に上記一対のフレームに一定角度を保持する少なくとも一つの吊り下げ部規制部材とを備え、上記吊り下げ部材を上部に上記回転軸を介し上記一対のフレームが拡開すると上記規制部材が接触し干し具となり、上記規制部材が接触しない方向で折り畳むと、上記吊り下げ部材の主要部分が一対のフレームの内部に収まるように折り畳まれ収納具となることを特徴とする干し具及び収納具。
【発明の効果】
【００１３】  上述の様に、本発明の干し具及び収納具は、洗濯後の靴下やソックスのような一対の袋状物を一対のフレームに通し、吊り下げ部材の回転軸を介し拡開（展開）すると干し具となり、乾燥に適した角度が開示され、一対の袋状物を通したまま上記回転軸を介し吊り下げ部材の主要部分が内部に収まるように折り畳む（閉塞）と収納具となり、乾燥後の一対の袋状物の選別や畳む手間を省略し、左右対称に揃い薄型でコンパクトな器具の露出の少ない形状で、一対の袋状物の足挿入開口部を上部に縦に並べ収納できて、所定箇所から履く一対の袋状物を選択する際に、丈の長さやデザイン等を上部から目視で選択できるため、選択時間が短縮できる。
【図面の簡単な説明】
【００１４】
【図１】本発明の実施の形態、ソックスハンガーを拡開（展開）した干し具状態であり、一対の袋状物の袋部分を通した斜視図である。
【図２】本発明の実施の形態、拡開（展開）して一対の袋状物を通した干し具状態を示す図であり、（ａ）は正面図であり、（ｂ）は側面図である。
【図３】本発明の実施の形態、一対の袋状物を通したまま規制部材が接触しない方向で折り畳んだ（閉塞）収納具状態を示す図であり、（ａ）は正面図であり、（ｂ）は側面図である。
【図４】本発明の実施の形態、吊り下げ部材の回転軸を介し規制部材を備えたフレームが可動できる範囲を示す側面図である。
【図５】本発明の実施の形態、丈の長いソックスハンガーの規制部材が接触しない方向で折り畳まれた収納具状態（閉塞）を示す図であり、（ａ）は正面図であり、（ｂ）は側面図である。
【図６】本発明の実施の形態、回転軸を備えた吊り下げ部材の吊り下げ器具拡大図であり、（ａ）は正面図であり、（ｂ）は側面図である。
【図７】本発明の実施の形態、回転軸を備えた吊り下げ部材の吊り下げフック拡大図であり、（ａ）は正面図であり、（ｂ）は側面図である。
【図８】本発明の実施の形態、片側のフレームに規制部材と回転軸を備えた状態を示し、一対の袋状物を通した展開図である。
【図９】本発明の実施の形態、規制角度保持機能を備えた器具を拡開（展開）し一対の袋状物を通した干し具状態を示す図であり、（ａ）は正面図であり、（ｂ）は側面図で、開示固定できる範囲も示す図である。
【図１０】本発明の実施の形態、一対の袋状物を通したまま規制角度保持機能を備えた器具を折り畳んだ（閉塞）収納具状態を示す図であり、（ａ）は正面図であり、（ｂ）は側面図である。
【図１１】本発明の実施の形態、一対のフレームの突起部が接触し拡開（展開）された干し具状態を示す図であり、（ａ）は正面図であり、（ｂ）は側面図である。
【図１２】本発明の実施の形態、一対のフレームの突起部が接触しない方向で折り畳んだ（閉塞）収納具状態を示す図であり、（ａ）は正面図であり、（ｂ）は側面図である。
【図１３】本発明の実施の形態、回転部の規制部材が接触し拡開（展開）して一対の袋状物を通した干し具状態を示す図であり、（ａ）は正面図であり、（ｂ）は側面図である。
【図１４】本発明の実施の形態、一対の袋状物を通したまま吊り下げ部材が内部に収まるように折り畳むと（閉塞）、回転部の規制部材が接触し、収納具状態となることを示す図であり、（ａ）は正面図であり、（ｂ）は側面図である。
【図１５】本発明の実施の形態、吊り下げ部材の回転軸を介し一対のフレームの可動できる範囲と規制部材を備えた回転部の可動範囲と、回転部に備えた規制部材の接触状況とを示す拡大図であり、（ａ）は正面図であり、（ｂ）は側面図である。
【図１６】本発明の実施の形態、吊り下げ部材の２つの回転軸を介し拡開（展開）して、回転部の規制部材が接触した器具に一対の袋状物を通した干し具状態を示す図であり、（ａ）は正面図であり、（ｂ）は側面図である。
【図１７】本発明の実施の形態、一対の袋状物を通したまま吊り下げ部材の２つの回転軸を介し、回転部の規制部材が接触しない方向に折り畳んだ（閉塞）収納具状態を示す図であり、（ａ）は正面図であり、（ｂ）は側面図である。
【図１８】本発明の実施の形態、吊り下げ部材の２つの回転軸を介し拡開（展開）するとフレームの規制部材が接触し、干し具状態となることを示す図であり、（ａ）は正面図であり、（ｂ）は側面図である。
【図１９】本発明の実施の形態、回転軸を２つ備えた吊り下げ器具の拡大図であり、（ａ）は正面図であり、（ｂ）は側面図である。
【図２０】本発明の実施の形態、回転軸を２つ備えた吊り下げフックの拡大図であり、（ａ）は正面図であり、（ｂ）は側面図である。
【図２１】本発明の実施の形態、回転軸と規制部材を備えた一対のフレームと回転軸受を２つ備えた吊り下げ器具とを備えた干し具及び収納具の展開図である。
【図２２】本発明の実施の形態、回転軸受を２つ備えた吊り下げ器具の拡大図であり、（ａ）は正面図であり、（ｂ）は側面図である。
【図２３】本発明の実施の形態、回転軸受を２つ備えた吊り下げフックの拡大図であり、（ａ）は正面図であり、（ｂ）は側面図である。
【図２４】本発明の実施の形態、規制部材を備えた吊り下げ器具の回転軸を介し一対のフレームを拡開（展開）して、吊り下げ器具に備えた規制部材に接触した器具に一対の袋状物を通した干し具状態を示す図であり、（ａ）は正面図であり、（ｂ）は側面図である。
【図２５】本発明の実施の形態、一対の袋状物を通したまま規制部材を備えた吊り下げ器具の回転軸を介して、一対のフレームを吊り下げ器具に備えた規制部材に接触しない方向に折り畳んだ（閉塞）収納具状態を示す図であり、（ａ）は正面図であり、（ｂ）は側面図である。
【図２６】本発明の実施の形態、規制部材を備えた吊り下げ器具の拡大図であり、（ａ）は正面図であり、（ｂ）は側面図である。
【図２７】本発明の実施の形態、規制部材を備えた吊り下げフックの拡大図であり、（ａ）は正面図であり、（ｂ）は側面図である。
【発明を実施するための形態】
【００１５】  吊り下げ部材またはフレームまたは吊り下げ部材を備えた規制角度保持部材の回転軸を介して一対のフレームまたは片側のフレームまたは自在に回転する吊り下げ器具が回転可能で、一対のフレームまたは片側のフレームが回転軸を介して拡開（展開）すると、規制部材に接触し、一対のフレームが乾燥（干す）に適した角度を開示する干し具となる。また、上記一対のフレームが上記回転軸を介して上記吊り下げ部材の主要部位を内部に収めながら、フレーム同士が重ね合わさるように規制部材が接触しない方向または規制部材の別の部位が接触する方向に折り畳むと（閉塞）所定箇所に縦型収納するのに適した収納具となる。
【実施例】
【００１６】  以下、添付図面に従って一実施例を説明する。なお、本明細書中において、一対の袋状物とは靴下、ソックス、パンプスソックス、カバーソックス、アンクレットソックス、足袋を含むものである。【００１７】  本実施の形態の干し具及び収納具は、全ての素材をプラスチックス（合成樹脂）、弾性力を有する線状部材等適選素材にて形成されていて、一対のフレームの規制部材は少なくとも一箇所が接触または重なり、乾燥に適した角度に開示され係止する部位を示す。また、一対のフレームに少なくとも一つの別部材を取り付け、拡開時に別部材が接触し乾燥に適した角度を開示する等の、適正角度を開示し係止する部位を規制部材としている。【００１８】  （図１）は、ショートソックス、パンプスソックス、カバーソックス、アンクレットソックス等のような丈の短い一対の袋状物７Ａ，７Ｂを乾燥及び収納するための干し具及び収納具であり、一対のフレーム１Ａ，１Ｂと、この一対のフレーム１Ａ，１Ｂに設けられた回転部４Ａ，４Ｂ，５Ａ，５Ｂが吊り下げ部材である吊り下げ器具３の回転軸１Ｋに回転可能に取り付けられている。なお、吊り下げ部材は一般のピンチ付き干し具等に狭持する吊り下げ器具３である。また、一対のフレーム１Ａ，１Ｂは、一対の袋状物７Ａ，７Ｂを通す部位であり、縦型収納時底部２Ａ，２Ｂを下部に所定箇所収納時に縦型収納できる。また、一対のフレーム１Ａ，１Ｂに設けられた回転部４Ａ，４Ｂ，５Ａ，５Ｂが吊り下げ器具３の回転軸１Ｋに接続され、回転軸１Ｋを介して回転し、拡開（展開）及び折り畳む（閉塞）。なお回転軸１Ｋに回転部４Ａ，５Ａと回転部４Ｂ，５Ｂとの同軸上の別部材でも良い。【００１９】  （図２）は、一対のフレーム１Ａ，１Ｂが接触する部位に規制部材を設けた一対のフレーム１Ａ，１Ｂに備えた回転部４Ａ，４Ｂ，５Ａ，５Ｂが回転軸１Ｋを介して規制部材１ａｓ，１ｂｓが接触するように拡開（展開）し、上記規制部材により、乾燥に適した角度θに上記一対のフレームが開示され、上記一対のフレームに洗濯後の一対の袋状物７Ａ，７Ｂを通し、吊り下げ器具３を従来のピンチ付き干し具等のピンチ等に狭持し、他の洗濯後の衣類等と一緒に乾燥（干す）することができる。そのため、新たに干し具や物干しスペースを確保する必要がない。また、吊り下げ器具３の開口部に紐等や細い棒状物等を通して乾燥（干す）することもできる。また、吊り下げ器具３を上記手段で狭持すると、上記回転部が、回転軸１Ｋを介し自在に動くため、風等の外力による影響を緩和し、落下等を防止している。なお、拡開時の規制部材１ａｓ，１ｂｓの接触部を爪等による係止手段でロックできる部材を設けることも可能である。【００２０】  （図３）は、一対のフレーム１Ａ，１Ｂに設けられた回転部４Ａ，４Ｂ，５Ａ，５Ｂが、回転軸１Ｋを介して規制部材１ａｓ，１ｂｓが接触しない方向で折り畳み（閉塞）ながら吊り下げ部材の吊り下げ器具３の主要部が、上記一対のフレームの内部に収まった状態であり、乾燥（乾いた）した一対の袋状物７Ａ，７Ｂを通したまま折り畳み（閉塞）、靴下等の足挿入開口部位に器具の一部が露出するのみの、収納に適したコンパクトな形状となり、縦型収納時底部２Ａ，２Ｂを下部とし、縦に並べ所定箇所に縦型収納できるため、靴下等の収納箇所の整理ができる。また所定箇所に縦型収納されているため、履きたい靴下等を選択する際、丈の長さ、足挿入開口部の大きさ（浅履きか深履きか）やトップゴム部のデザイン等を上部から目視で判断できるため、ファッションに合わせた靴下等の選択時間の短縮ができる。【００２１】  また、規制部材１ａｓ，１ｂｓが接触しない方向で折り畳んだ状態（閉塞）で、吊り下げ部材の吊り下げ器具３は、一対のフレーム１Ａ，１Ｂの内に収まり、上記一対のフレームの間に挟持され、上記吊り下げ部材は回転不能となるため、所定箇所縦型収納時に上記吊り下げ部材が回転し、他の靴下等や衣類と接触し破損することを防止している。【００２２】  また、靴下等販売店で（図３）の形態のソックスハンガーに靴下等一対の袋状物を通しセット販売することにより、販売時の靴下等に付属する、一対に組み合わせるソックパスやタグピン、吊り下げるためのプラスチックフック、型崩れ防止型紙等、靴下等購入後に破棄してしまう付属品を使用せずに売場にレイアウトできるため、購入後の付属品の取り外しの手間や、ゴミの減量化ができる。【００２３】  さらに、男性、女性、子供、ベビー用とサイズ別に、さらに同サイズでも各色ソックスハンガーを製造することにより、ソックスハンガーをサイズ別、色別で家族の靴下等を同一の所定箇所に収納することができる。また、学校指定等の同色同型の靴下等を多数所定箇所に収納する際、ソックスハンガーを曜日ごとに色分けして使用したりすることにより、多数の同色同型の靴下等の使用頻度を均等化することができ、靴下等の損耗を統一できる。【００２４】  （図４）は、回転軸１Ｋを介して一対のフレーム１Ａ，１Ｂが規制部材を備えたフレームの可動範囲１ＫＨの範囲内で可動して、規制部材１ａｓ，１ｂｓが接触することにより、乾燥に適した角度θに開示される。【００２５】  （図５）は、一対の袋状物の丈の長さに適した形状の一対のフレーム１Ａ，１Ｂの丈の長さ１Ｔを変更することにより、丈の長い一対の袋状物に適した形状となり（図２）（図３）（図４）と同様に機能し可動する。また、吊り下げ部材は吊り下げフック６であり、吊り下げ棒等８に係止自在となる。この形態は、丈の長いベビー用、子供用の一対の袋状物のような小さいサイズに適していて、小さい一対の袋状物を更に小さく畳み所定箇所に収納するが、畳んだ一対の袋状物が所定箇所内でバラバラになりやすく、綺麗に並べて収納するのは困難であったが、所定箇所に縦に並べ整理して収納できるようになる。【００２６】  （図６）は、回転軸１Ｋを備えた吊り下げ部材の吊り下げ器具３の拡大図で、従来のピンチ付き干し具等のピンチに狭持したり、紐等や細い棒状物等を通し乾燥（干す）することができる。また、（図３）の形状で靴下等販売店の展示用吊り下げ棒等の突起物に上記吊り下げ器具の開口部を通し、展示販売することもできる。【００２７】  （図７）は、回転軸１Ｋを備えた吊り下げ部材の吊り下げフック６の拡大図で、吊り下げ棒等８や旅先のカーテンレール等に係止することができる。また、フック部の厚みが薄型のため、ピンチ付き干し具等のピンチに挟持することも可能である。【００２８】  （図８）は、規制部材と回転軸を備えたフレーム１ＡＦの回転軸１Ｋを介し、フレーム１Ｂに設けられた回転部４Ａ，４Ｂが拡開または折り畳む（閉塞）。また、吊り下げ器具または吊り下げフック回転部１Ｍ，２Ｍを備えた自在に回転する吊り下げ器具１Ｐは、上記回転軸を介して自在に回転し、上記以外の部位は（図２）（図３）（図４）と同様に機能し可動する。【００２９】  （図９）は、吊り下げ部材を備えた規制角度保持部材ＳＦを介して、一対の規制角度開示フレームＡＧ，ＢＧが、天候や乾燥効果を考慮して、乾燥に適した角度に任意に固定できる角度ｎθの範囲内で、拡開角度を任意に選択し、ロックできる部材で係止できる機能を備えている。なお、吊り下げ部材を備えた規制角度保持部材ＳＦは少なくとも一つの回転軸で構成されている。【００３０】  （図１０）は、（図９）の吊り下げ部材を備えた規制角度保持部材ＳＦに備えた一対の規制角度開示フレームＡＧ，ＢＧが、乾燥に適した角度に任意に固定できる角度ｎθにロックできる部材を解除後に、吊り下げ器具の全体が内部に収まるように折り畳んだ（閉塞）収納具で、所定箇所に縦型収納時底部２Ａ，２Ｂを下部に縦型収納に適した形状となる。【００３１】  （図１１）は、一対のフレーム１Ａ，１Ｂと同一部材または別部材の突起物が規制部材１ａｓ，１ｂｓとなり、吊り下げ部材の吊り下げ器具３の回転軸１Ｋを介し拡開（展開）し、乾燥に適した角度θを開示するように、上記一対のフレーム内部で上記規制部材が接触し上記一対のフレームが開示した干し具形状である。また、その他の部位は（図２）と同様に可動する。なお、上記規制部材の突起物は、片側のフレームのみで乾燥に適した角度θが開示できるのであれば、片側のみの規制部材突起物でも可能である。【００３２】  （図１２）は、一対のフレーム１Ａ，１Ｂと同一部材または別部材の突起物規制部材１ａｓ，１ｂｓが接触しない方向で折り畳み（閉塞）ながら吊り下げ部材の吊り下げ器具３の主要部が、上記一対のフレームの内部に収まった収納に適した収納具形状である。また、上記突起物の規制部材をキャラクター等やロゴ等の立体的デザインとすることができて、上記一対のフレームに一対の袋状物を通したまま収納具の状態にすると、一対の袋状物の足挿入開口部の上部に、上記突起物規制部材のキャラクター等やロゴ等の立体的デザインが配置され、一対の袋状物の足挿入開口部からキャラクター等やロゴ等の立体的デザインが顔を出したような可愛い収納器具となる。また、上記以外の部位は（図３）と同様に機能し可動する。【００３３】  （図１３）は、規制部材を備えた回転部５ａｓ，５ｂｓの側部に規制部材１ａｓ、規制部材を備えた回転部４ａｓ，４ｂｓの側部に規制部材１ｂｓを備え、吊り下げ部材の吊り下げ器具３を持ち拡開すると、上記規制部材を備えた回転部と側部の規制部材が、上記吊り下げ部材の回転軸１Ｋを介し拡開して乾燥に適した角度θを開示する干し具形状図である。また、上記以外の部位は（図２）と同様に機能し可動する。【００３４】  （図１４）は、規制部材を備えた回転部５ａｓ，５ｂｓの側部に規制部材１ａｓ、規制部材を備えた回転部４ａｓ，４ｂｓの側部に規制部材１ｂｓを備え、吊り下げ部材の回転軸１Ｋを��し、吊り下げ器具３が内部に収まる方向で折り畳むと（閉塞）、規制部材を備えた回転部側部の規制部材が拡開時とは別の部位で接触し、上記吊り下げ器具の主要部が、上記フレームの内部に収まる収納具形状図である。また、上記以外の部位は（図３）と同様に機能し可動する。【００３５】  （図１５）は、（図１３）（図１４）の一対のフレーム可動範囲３ＫＨと規制部材を備えた回転部可動範囲２ＫＨの可動範囲と回転部規制部材１ａｓ，１ｂｓの接触部位状況示す図である。なお、上記規制部材は拡開時（展開）の干し具形状と折り畳み時（閉塞）の収納具形状でのみ接触するが、接触部位は別の部位である。【００３６】  （図１６）は、吊り下げ部材の回転軸を２つ備えた吊り下げ器具９の２つの回転軸１Ｋを介し、規制部材を備えた回転部４ａｓ，４ｂｓに規制部材１ａｓを備えた一対のフレーム１Ａと、規制部材を備えた回転部５ａｓ，５ｂｓに規制部材１ｂｓを備えた一対のフレーム１Ｂが、上記規制部材が接触するように拡開（展開）すると、上記規制部材により、乾燥に適した角度θに上記一対のフレームが開示された干し具形状図である。また、上記以外の部位は（図２）と同様に機能し可動する。【００３７】  （図１７）は、吊り下げ部材の回転軸を２つ備えた吊り下げ器具９の２つの回転軸１Ｋを介し、規制部材を備えた回転部４ａｓ，４ｂｓに規制部材１ａｓを備えた一対のフレーム１Ａと、規制部材を備えた回転部５ａｓ，５ｂｓに規制部材１ｂｓを備えた一対のフレーム１Ｂが、  上記規制部材が接触しない方向で折り畳み（閉塞）ながら吊り下げ部材の上記回転軸を２つ備えた吊り下げ器具の主要部が、上記一対のフレームの内部に収まった収納具形状図である。また、上記以外の部位は（図３）と同様に機能し可動する。【００３８】  （図１８）は、一対のフレーム１Ａ，１Ｂが接触する部位に規制部材を設けた一対のフレーム１Ａ，１Ｂが、吊り下げ部材の回転軸を２つ備えた吊り下げ器具９の２つの回転軸１Ｋを介し、規制部材１ａｓを備えた一対のフレーム１Ａに備えた回転部４Ａ，４Ｂと規制部材１ｂｓを備えた一対のフレーム１Ｂに備えた回転部５Ａ，５Ｂの上記規制部材が接触するように拡開（展開）すると上記一対のフレームが乾燥に適した角度θに開示されて干し具形状となった図である。また上記以外の部位は（図２）と同様に機能し可動する。【００３９】  （図１９）は、回転軸１Ｋを２つ備えた、回転軸を２つ備えた吊り下げ器具９の拡大図で、従来のピンチ付き干し具等のピンチに狭持したり、紐等や細い棒状物等を通し乾燥（干す）することができる。また、（図１７）の形状または（図１８）が収納具となった形状で、靴下等販売店の展示用吊り下げ棒等の突起物に上記吊り下げ器具の開口部を通し、展示販売することもできる。また、２つの回転軸に一対に接続される回転部の接触部を歯車等のような形状にすると、一対のフレームが左右対称に拡開（展開）または折り畳む（閉塞）ことが可能である。【００４０】  （図２０）は、回転軸１Ｋを２つ備えた、回転軸を２つ備えた吊り下げフック１２の拡大図で、吊り下げ棒等や旅先のカーテンレール等に係止することができる。また、フック部の厚みが薄型のため、ピンチ付き干し具等のピンチに挟持��ることも可能である。【００４１】  （図２１）は、吊り下げ部材の回転軸受を２つ備えた吊り下げ器具２１と、回転軸と規制部材を備えた一対のフレーム６Ａ，６Ｂとを備え、上記回転軸と規制部材を備えた一対のフレームが、上記回転軸受を２つ備えた吊り下げ器具の吊り下げ部材回転軸受１Ｊを介し、上記回転軸と規制部材を備えた一対のフレームに備えた規制部材が接触する方向で拡開（展開）すると、規制部材１ａｓ，１ｂｓが接触し乾燥に適した角度θに開示され干し具となり、上記規制部材が接触しない方向で折り畳むと、吊り下げ部材の主要部位を上記回転軸と規制部材を備えた一対のフレームの内部に収めた収納具となる。また上記以外の部位は（図２）（図３）と同様に機能する。【００４２】  （図２２）は、吊り下げ部材回転軸受１Ｊを２つ備えた回転軸受２７を備えた吊り下げ器具２１の拡大図で、従来のピンチ付き干し具等のピンチに狭持したり、紐等や細い棒状物等を通し乾燥（干す）することができる。また、（図２１）が収納具となった形状で、靴下等販売店の展示用吊り下げ棒等の突起物に上記吊り下げ器具の開口部を通し、展示販売することもできる。【００４３】  （図２３）は、吊り下げ部材回転軸受１Ｊを２つ備えた回転軸受２７を備えた吊り下げフック２４の拡大図で、吊り下げ棒等や旅先のカーテンレール等に係止することができる。また、フック部の厚みが薄型のため、ピンチ付き干し具等のピンチに挟持することも可能である。【００４４】  （図２４）は、吊り下げ部材の規制部材備えた吊り下げ器具１５の回転軸１Ｋを介し、一対のフレーム１Ａ，１Ｂに備えた回転部４Ａ，４Ｂ，５Ａ，５Ｂが拡開（展開）して、吊り下げ部規制部材Ｔａｓに上記一対のフレームが接触して乾燥に適した角度θに開示された干し具形状図である。また上記以外の部位は（図２）と同様に機能し可動する。【００４５】  （図２５）は、吊り下げ部材の規制部材備えた吊り下げ器具１５の回転軸１Ｋを介し、一対のフレーム１Ａ，１Ｂに設けられた回転部４Ａ，４Ｂ，５Ａ，５Ｂが、上記吊り下げ部材の吊り下げ部規制部材Ｔａｓに接触しない方向で折り畳み（閉塞）上記吊り下げ部材の主要部位が、上記一対のフレームの内部に収まった収納具形状図である。また、上記以外の部位は（図３）と同様に機能し可動する。【００４６】  （図２６）は、吊り下げ部規制部材Ｔａｓと回転軸１Ｋ備えた、規制部材を備えた吊り下げ器具１５の拡大図で、従来のピンチ付き干し具等のピンチに狭持したり、紐等や細い棒状物等を通し乾燥（干す）することができる。また、（図２２）の形状で、靴下等販売店の展示用吊り下げ棒等の突起物に上記吊り下げ器具の開口部を通し、展示販売することもできる。【００４７】  （図２７）は、吊り下げ部規制部材Ｔａｓと回転軸１Ｋ備えた、規制部材を備えた吊り下げフック１８の拡大図で、吊り下げ棒等や旅先のカーテンレール等に係止することができる。また、フック部の厚みが薄型のため、ピンチ付き干し具等のピンチに挟持することも可能である。
【符号の説明】
【００４８】一対のフレーム  １Ａ，１Ｂ
縦型収納時底部  ２Ａ，２Ｂ
吊り下げ器具  ３
回転部  ４Ａ，４Ｂ，５Ａ，５Ｂ
吊り下げフック  ６
回転軸  １Ｋ
一対の袋状物  ７Ａ，７Ｂ
丈の長さ  １Ｔ
規制部材  １ａｓ，１ｂｓ
規制部材を備えたフレームの可動範囲  １ＫＨ
吊り下げ部材を備えた規制角度保持部材  ＳＦ
乾燥に適した角度  θ
任意に固定できる角度  ｎθ
吊り下げ棒等  ８
規制部材と回転軸を備えたフレーム  １ＡＦ
一対の規制角度開示フレーム  ＡＧ，ＢＧ
吊り下げ器具または吊り下げフック回転部  １Ｍ，２Ｍ
自在に回転する吊り下げ器具  １Ｐ
規制部材を備えた回転部  ４ａｓ，４ｂｓ，５ａｓ，５ｂｓ
規制部材を備えた回転部可動範囲  ２ＫＨ
一対のフレーム可動範囲  ３ＫＨ
回転軸を２つ備えた吊り下げ器具  ９
回転軸を２つ備えた吊り下げフック  １２
回転軸と規制部材を備えた一対のフレーム  ６Ａ，６Ｂ
規制部材を備えた吊り下げ器具  １５
規制部材を備えた吊り下げフック  １８
吊り下げ部規制部材  Ｔａｓ
回転軸受を２つ備えた吊り下げ器具  ２１
回転軸受を２つ備えた吊り下げフック  ２４
吊り下げ部材回転軸受  １Ｊ
【図１】
2020108720.tif 000003
【図２】
2020108720.tif 000004
【図３】
2020108720.tif 000005
【図４】
2020108720.tif 000006
【図５】
2020108720.tif 000007
【図６】
2020108720.tif 000008
【図７】
2020108720.tif 000009
【図８】
2020108720.tif 000010
【図９】
2020108720.tif 000011
【図１０】
2020108720.tif 000012
【図１１】
2020108720.tif 000013
【図１２】
2020108720.tif 000014
【図１３】
2020108720.tif 000015
【図１４】
2020108720.tif 000016
【図１５】
2020108720.tif 000017
【図１６】
2020108720.tif 000018
【図１７】
2020108720.tif 000019
【図１８】
2020108720.tif 000020
【図１９】
2020108720.tif 000021
【図２０】
2020108720.tif 000022
【図２１】
2020108720.tif 000023
【図２２】
2020108720.tif 000024
【図２３】
2020108720.tif 000025
【図２４】
2020108720.tif 000026
【図２５】
2020108720.tif 000027
【図２６】
2020108720.tif 000028
【図２７】
2020108720.tif 000029
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
一対の袋状物の袋部分を通すため、かつ袋状物の丈の長さに適した形状の一対のフレーム（１Ａ，１Ｂ）と、前記一対のフレームに備えた少なくとも一つの回転部と、前記少なくとも一つの回転部を回転可能にする少なくとも一つの回転軸と、前記少なくとも一つの回転軸と連結した吊り下げ部材と、前記一対のフレームに一定角度を保持する少なくとも一つの同一部材または別部材の規制部材とを備え、前記回転軸に接続された前記一対のフレームに、洗濯後の一対の袋状物を通し拡開すると、前記規制部材が接触し、回転軸を介し自在に動き、風等の外力による影響や落下を防止する干し具となり、前記規制部材が接触しない方向で折り畳むと、乾燥した一対の袋状物を通したまま、前記吊り下げ部材の主要部分が一対のフレームの内部に挟持され回転不能に収まるように一対のフレームを折り畳むと、左右対称に揃い収納に適した薄型でコンパクトな形状となり、一対の袋状物の足挿入開口部を上部に、前記一対のフレームに備えた前記回転部と反対側の縦型収納時底部（２Ａ，２Ｂ）を下部に縦に並べ所定箇所に縦型収納可能な収納具となることを特徴とする干し具及び収納具。
【請求項２】
一定角度を保持する規制部材と少なくとも一つの回転部を備えた袋状物の袋部分を通すため、かつ袋状物の丈の長さに適した形状のフレーム（１Ｂ）と、少なくとも一つの回転部を備え自在に回転する吊り下げ部材とを回転可能にする一定角度を保持する規制部材と、回転軸を備えた袋状物の袋部分を通すため、かつ袋状物の丈の長さに適した形状のフレーム（１ＡＦ）とを備え、前記回転軸に接続された前記フレームに、洗濯後の一対の袋状物を通し拡開すると、前記規制部材が接触し、回転軸を介し自在に動き、風等の外力による影響や落下を防止する干し具となり、前記規制部材が接触しない方向で折り畳むと、乾燥した一対の袋状物を通したまま、前記吊り下げ部材の主要部分が一対のフレームの内部に収まるように一対のフレームを折り畳むと、左右対称に揃い収納に適した薄型でコンパクトな形状となり、一対の袋状物の足挿入開口部を上部に、前記回転部を備えたフレーム（１Ｂ）の回転部、前記回転軸を備えたフレーム（１ＡＦ）の回転軸と反対側の縦型収納時底部（２Ａ，２Ｂ）を下部に縦に並べ所定箇所に縦型収納可能な収納具となることを特徴とする干し具及び収納具。
【請求項３】
吊り下げ部材と一対の規制角度開示フレームを任意に固定できる角度（ｎθ）に拡開しロックできる部材を備えた規制角度保持部材（ＳＦ）と、一対の袋状物の袋部分を通すため、かつ袋状物の丈の長さに適した形状の一対の規制角度開示フレーム（ＡＧ，ＢＧ）とを備え、前記規制角度保持部材に接続された前記一対の規制角度開示フレームに、洗濯後の一対の袋状物を通し、前記任意に固定できる角度に前記一対の規制角度開示フレームを乾燥に適した角度（θ）に任意に拡開し、前記規制角度保持部材のロックできる部材で係止すると干し具となり、乾燥した一対の袋状物を通したまま、前記規制角度保持部材の吊り下げ部材が一対の規制角度開示フレームの内部に収まるように一対の規制角度開示フレームを折り畳むと、左右対称に揃い収納に適した薄型でコンパクトな形状となり、一対の袋状物の足挿入開口部を上部に、前記一対の規制角度開示フレームに接続された前記規制角度保持部材と反対側の縦型収納時底部（２Ａ，２Ｂ）を下部に縦に並べ所定箇所に縦型収納可能な収納具となることを特徴とする干し具及び収納具。
【請求項４】
一対の袋状物の袋部分を通すため、かつ袋状物の丈の長さに適した形状の一対のフレーム（１Ａ，１Ｂ）と、前記一対のフレームに備えた前記一対のフレームに一定角度を保持する少なくとも一つの規制部材を備えた回転部と、前記少なくとも一つの規制部材を備えた回転部を回転可能にする少なくとも一つの回転軸と、前記少なくとも一つの回転軸と連結した吊り下げ部材とを備え、前記回転軸に接続された前記一対のフレームに洗濯後の一対の袋状物を通し拡開すると前記規制部材が接触し、回転軸を介し自在に動き風等の外力による影響や落下を防止する干し具となり、前記規制部材が接触しない方向または規制部材の別の部位が接触する方向で折り畳むと、乾燥した一対の袋状物を通したまま、前記吊り下げ部材の主要部分が一対のフレームの内部に挟持され回転不能に収まるように一対のフレームを折り畳むと、左右対称に揃い収納に適した薄型でコンパクトな形状となり、一対の袋状物の足挿入開口部を上部に、前記一対のフレームに備えた前記回転部と反対側の縦型収納時底部（２Ａ，２Ｂ）を下部に縦に並べ所定箇所に縦型収納可能な収納具となることを特徴とする干し具及び収納具。
【請求項５】
一対の袋状物の袋部分を通すため、かつ袋状物の丈の長さに適した形状の一対のフレーム（１Ａ，１Ｂ）と、前記一対のフレームに備えた少なくとも一つの回転部と、前記少なくとも一つの回転部を回転可能にする少なくとも一つの回転軸と、前記少なくとも一つの回転軸と連結した規制部材を備えた吊り下げ部材と、吊り下げ部材に前記一対のフレームに一定角度を保持する少なくとも一つの吊り下げ部規制部材とを備え、前記回転軸に接続された前記一対のフレームに洗濯後の一対の袋状物を通し拡開すると前記規制部材が接触し、回転軸を介し自在に動き風等の外力による影響や落下を防止する干し具となり、前記規制部材が接触しない方向で折り畳むと、乾燥した一対の袋状物を通したまま、前記吊り下げ部材の主要部分が一対のフレームの内部に挟持され回転不能に収まるように一対のフレームを折り畳むと、左右対称に揃い収納に適した薄型でコンパクトな形状となり、一対の袋状物の足挿入開口部を上部に、前記一対のフレームに備えた前記回転部と反対側の縦型収納時底部（２Ａ，２Ｂ）を下部に縦に並べ所定箇所に縦型収納可能な収納具となることを特徴とする干し具及び収納具。
【請求項６】
一対の袋状物の袋部分を通すため、かつ袋状物の丈の長さに適した形状の回転軸と規制部材を備えた一対のフレーム（６Ａ，６Ｂ）と、前記一対のフレームに備えた回転軸と、前記回転軸を回転可能にする少なくとも一つの回転軸受と、前記少なくとも一つの回転軸受と連結した吊り下げ部材と、前記一対のフレームに一定角度を保持する少なくとも一つの同一部材または別部材の規制部材とを備え、前記回転軸受に接続された前記一対のフレームに、洗濯後の一対の袋状物を通し拡開すると、前記規制部材が接触し、回転軸を介し自在に動き、風等の外力による影響や落下を防止する干し具となり、前記規制部材が接触しない方向で折り畳むと、乾燥した一対の袋状物を通したまま、前記吊り下げ部材の主要部分が一対のフレームの内部に挟持され回転不能に収まるように一対のフレームを折り畳むと、左右対称に揃い収納に適した薄型でコンパクトな形状となり、一対の袋状物の足挿入開口部を上部に、前記一対のフレームに備えた前記回転軸と反対側の縦型収納時底部（２Ａ，２Ｂ）を下部に縦に並べ所定箇所に縦型収納可能な収納具となることを特徴とする干し具及び収納具。